(57)【特許請求の範囲】
【請求項１】
ヨード造影剤が充填された第１の容器、及び一端が前記第１の容器と接続されたヨード造影剤供給ラインを含むヨード造影剤供給部と、
等張液が充填された第２の容器、一端が前記第２の容器と接続され、かつ前記等張液を供給する等張液供給ライン、炭酸ガスが充填された第３の容器、一端が前記第３の容器と接続され、かつ前記炭酸ガスを供給する炭酸ガス供給ライン、一端が前記等張液供給ラインの他端及び前記炭酸ガス供給ラインの他端と接続され、かつ前記等張液と前記炭酸ガスとを混合する混合ライン、前記混合ラインの他端と接続され、前記等張液に混合された前記炭酸ガスを微細気泡化する気泡化部、及び前記気泡化部で生成した炭酸ガス含有造影剤の供給経路となる炭酸ガス含有造影剤供給ラインを含む炭酸ガス含有造影剤供給部と、
前記ヨード造影剤供給ラインと前記炭酸ガス含有造影剤供給ラインとが合流して患者への前記ヨード造影剤又は前記炭酸ガス含有造影剤の供給経路となる造影剤供給ラインとを含み、
前記ヨード造影剤供給ライン及び前記炭酸ガス含有造影剤供給ラインのそれぞれに、前記ヨード造影剤又は前記炭酸ガス含有造影剤の一方のみを前記造影剤供給ラインへ供給するための切り替えバルブが設けられていることを特徴とする造影剤供給装置。
【請求項２】
前記造影剤供給ラインの他端と接続された造影剤供給用注射筒と、
前記造影剤供給ラインに設けられた三方弁と、
前記三方弁と接続されたパージ用ラインと、
を含むことを特徴とする請求項１記載の造影剤供給装置。
【請求項３】
前記等張液供給ラインから分岐し、前記造影剤供給ラインに接続する等張液分岐ライン  を有することを特徴とする請求項１または２記載の造影剤供給装置。
【請求項４】
前記造影剤供給ラインのうち、前記三方弁と前記造影剤供給用注射筒との間に位置する部分から分岐し、他端にカテーテルが接続される造影剤供給用分岐ラインを有することを特徴とする請求項２または３記載の造影剤供給装置。
【請求項５】
さらに、患者に酸素を供給する酸素供給部と、を含むことを特徴とする請求項１ないし４のうち、いずれか１項記載の造影剤供給装置。
【発明の詳細な説明】
【技術分野】
【０００１】
本発明は、Ｘ線を利用した血管造影用の造影剤供給装置に関する。
【背景技術】
【０００２】
従来、Ｘ線を利用した血管造影用造影剤として、ヨード造影剤が使用されている。ヨード造影剤は、陽性造影剤であり、Ｘ線の吸収量が大きい物質で構成されている。ヨード造影剤を調製及び供給する装置として、例えば、特許文献１に開示された装置がある。
ヨード造影剤は、周囲組織とのコントラストの差が大きく現れることから描写能に優れている反面、腎毒性やアレルギー性の副作用がある。このため、ヨード造影剤は、重篤な腎障害のある患者や造影剤アレルギーを有する患者には投与することができない。
【０００３】
このような患者に対しては、陰性造影剤の投与が検討される。陰性造影剤は、Ｘ線の吸収量の小さい物質である空気、酸素、及び炭酸ガス等により構成されており、代表的なものが炭酸ガス含有造影剤である。
特許文献２には、炭酸ガス含有造影剤を生成及び供給する造影剤供給装置が開示されている。
【先行技術文献】
【特許文献】
【０００４】
【特許文献１】特開平６−９４３５号公報
【特許文献２】特開２０１４−１００１５８号公報
【発明の概要】
【発明が解決しようとする課題】
【０００５】
上述した特許文献１の装置は、ヨード造影剤のみを患者に供給する装置であり、特許文献２に開示された造影剤供給装置は、炭酸ガス含有造影剤のみを患者に供給する装置である。
このように、従来は造影剤ごとに専用の投与装置を選択し、投与のための準備する必要があるため、医療従事者の作業時間すなわち投与開始までに時間がかかったり、また医療従事者の作業負担が増えがちであった。
【０００６】
そこで、本発明は、上記事情を鑑みてなされたものであり、患者の容態に応じて適切な造影剤を簡単に投与することが可能な造影剤供給装置を提供することを課題とする。
【課題を解決するための手段】
【０００７】
上記課題を解決するため、請求項１に係る発明によれば、ヨード造影剤が充填された第１の容器、及び一端が前記第１の容器と接続されたヨード造影剤供給ラインを含むヨード造影剤供給部と、等張液が充填された第２の容器、一端が前記第２の容器と接続され、かつ前記等張液を供給する等張液供給ライン、炭酸ガスが充填された第３の容器、一端が前記第３の容器と接続され、かつ前記炭酸ガスを供給する炭酸ガス供給ライン、一端が前記等張液供給ラインの他端及び前記炭酸ガス供給ラインの他端と接続され、かつ前記等張液と前記炭酸ガスとを混合する混合ライン、前記混合ラインの他端と接続され、前記等張液に混合された前記炭酸ガスを微細気泡化する気泡化部、及び前記気泡化部で生成した炭酸ガス含有造影剤の供給経路となる炭酸ガス含有造影剤供給ラインを含む炭酸ガス含有造影剤供給部と、前記ヨード造影剤供給ラインと前記炭酸ガス含有造影剤供給ラインとが合流して患者への前記ヨード造影剤又は前記炭酸ガス含有造影剤の供給経路となる造影剤供給ラインとを含み、前記ヨード造影剤供給ライン及び前記炭酸ガス含有造影剤供給ラインのそれぞれに、前記ヨード造影剤又は前記炭酸ガス含有造影剤の一方のみを前記造影剤供給ラインへ供給するための切り替えバルブが設けられていることを特徴とする造影剤供給装置が提供される。
【０００８】
また、請求項２に係る発明によれば、前記造影剤供給ラインの他端と接続された造影剤供給用注射筒と、前記造影剤供給ラインに設けられた三方弁と、前記三方弁と接続されたパージ用ラインと、を含むことを特徴とする請求項１記載の造影剤供給装置が提供される。
【０００９】
また、請求項３に係る発明によれば、前記等張液供給ラインから分岐し、前記造影剤供給ラインに接続する等張液分岐ラインを有することを特徴とする請求項１または２記載の造影剤供給装置が提供される。
【００１０】
また、請求項４に係る発明によれば、前記造影剤供給ラインのうち、前記三方弁と前記造影剤供給用注射筒との間に位置する部分から分岐し、他端にカテーテルが接続される造影剤供給用分岐ラインを有することを特徴とする請求項２または３記載の造影剤供給装置が提供される。
【００１１】
また、請求項５に係る発明によれば、さらに、患者に酸素を供給する酸素供給部と、を含むことを特徴とする請求項１ないし４のうち、いずれか１項記載の造影剤供給装置が提供される。
【発明の効果】
【００１２】
本発明によれば、患者の容態に応じてヨード造影剤と炭酸ガス含有造影剤のうち適切な方の造影剤の患者への投与を簡便に行うことができ、医療従事者の作業負担を軽減することができる。
【図面の簡単な説明】
【００１３】
【図１】本発明の実施の形態に係る造影剤供給装置の概略構成を示すブロック図である。
【図２】図１に示す造影剤供給用注射筒の一例を示す斜視図である。
【図３】図１に示す制御装置の斜視図である。
【発明を実施するための形態】
【００１４】
以下、図面を参照して本発明を適用した実施の形態について詳細に説明する。なお、以下の説明で用いる図面は、本発明の実施の形態の構成を説明するためのものであり、図示される各部の大きさや厚さや寸法等は、実際の造影剤供給装置の寸法関係とは異なる場合がある。
【００１５】
（実施の形態）
図１は、本発明の実施の形態に係る造影剤供給装置の概略構成を示すブロック図である。図１中の符号Ａは、造影剤が投与される患者（以下、「患者Ａ」という）を示しており、重篤な腎障害が無く、かつ造影剤アレルギーを有しておらず、ヨード造影剤を投与可能な場合と、重篤な腎障害が有る、造影剤アレルギーを有する等、ヨード造影剤を投与不可能な場合と、がある。
【００１６】
図１を参照するに、本実施の形態の造影剤供給装置１０は、ヨード造影剤供給部１１と、炭酸ガス含有造影剤供給部１２と、造影剤供給ライン１４と、造影剤供給用注射筒１７と、三方弁１８（三方コック）と、パージ用ライン２１と、造影剤供給用分岐ライン２２と、継手２４と、カテーテル２５と、第２のバルブ２７と、制御装置２８と、酸素供給部２９と、筐体３０と、を有する。
【００１７】
ヨード造影剤供給部１１は、第１の容器３１と、ヨード造影剤供給ライン３２と、第１の流量計３４と、第１の切り替えバルブ３５と、を有する。
第１の容器３１は、患者Ａに投与するヨード造影剤を充填するための容器であり、ヨード造影剤を収容することができれば、金属製、樹脂製等その材料は任意であり、形状も筒型、角型、袋状、いかなるものであっても構わない。第１の容器３１の内容積を、例えば、５〜３００ｍＬとすれば、造影剤供給装置１０の小型化及び軽量化に有利である。
【００１８】
ヨード造影剤供給ライン３２は、一端が第１の容器３１と接続されており、他端が造影剤供給ライン１４の一端と接続されている。ヨード造影剤供給ライン３２は、第１の容器３１から抜き出したヨード造影剤を造影剤供給ライン１４に供給するためのラインである。
【００１９】
第１の流量計３４は、第１の容器３１側に位置するヨード造影剤供給ライン３２に設けられている。第１の流量計３４は、制御装置２８と電気的に接続されている。
第１の流量計３４は、ヨード造影剤供給ライン３２内を流れるヨード造影剤の流量値を計測し、計測した流量値を制御装置２８にリアルタイムで連続して送信する。
【００２０】
第１の切り替えバルブ３５は、第１の流量計３４の下流側に位置するヨード造影剤供給ライン３２に設けられている。第１の切り替えバルブ３５は、制御装置２８と電気的に接続されている。第１の切り替えバルブ３５は、造影剤供給ライン１４にヨード造影剤を供給する際に開かれ、造影剤供給ライン１４へのヨード造影剤の供給を停止する際には閉じられる。
【００２１】
なお、ヨード造影剤を収容した第１の容器３１と、マイクロシリンジポンプ（図示せず）と、を用いて、ヨード造影剤を供給する場合、ヨード造影剤供給ライン３２にヨード造影剤用圧力センサ（図示せず）を設けるとよい。
【００２２】
炭酸ガス含有造影剤供給部１２は、第２の容器３８、等張液供給ライン３９と、逆止弁４１，５６と、第２の流量計４３と、第３の容器４７と、炭酸ガス供給ライン４８と、圧力計５１と、第３の流量計５３と、フィルター５４と、混合ライン５８と、気泡化部６１と、炭酸ガス含有造影剤供給ライン６２と、第４の流量計６４と、第２の切り替えバルブ６５と、分岐ライン６８と、第１のバルブ６９と、を有する。
【００２３】
第２の容器３８は、等張液を充填するための容器である。第２の容器３８は、等張液供給ライン３９の一端と接続されている。
第２の容器３８としては、等張液を収容することができれば、金属製、樹脂製等その材料は任意であり、形状も筒型、角型、袋状、いかなるものであっても構わない。第２の容器３８の内容積を例えば５〜３００ｍＬとすれば、造影剤供給装置１０の小型化及び軽量化に有利である。
【００２４】
第２の容器３８内に充填された例えば生理食塩水等の等張液は、図示していないマイクロシリンジポンプにより、等張液供給ライン３９に供給することができる。なお、等張液として等張液に予め炭酸ガスを溶解させたものを用いても構わない。
【００２５】
第２の容器３８内に充填された等張液は、図示していないマイクロシリンジポンプにより、等張液供給ライン３９に供給することができる。
第２の容器３８内に等張液(生理食塩水)を高圧充填し、マイクロシリンジポンプを用いて供給する場合には、等張液供給ライン３９に等張液用圧力センサ（図示せず）を設けるとよい。
【００２６】
等張液としては、例えば、生理食塩水を用いることができる。なお、第２の容器３８内に、等張液に予め炭酸ガスを溶解させた炭酸ガス含有等張液を充填させ、上記等張液に替えて、炭酸ガス含有等張液を用いてもよい。
【００２７】
等張液供給ライン３９は、その他端が混合ライン５８の一端と接続されている。等張液供給ライン３９は、第２の容器３８から導出させた等張液を混合ライン５８内に導入させるためのラインである。
逆止弁４１は、混合ライン５８の一端の近傍に位置する等張液供給ライン３９に設けられている。逆止弁４１は、混合ライン５８内に導入された等張液及び炭酸ガスが混合されることで形成される炭酸ガス含有等張液が等張液供給ライン３９を逆流することを防止する機能を有する。
【００２８】
第２の流量計４３は、第２の容器３８側に位置する等張液供給ライン３９に設けられている。第２の流量計４３は、制御装置２８と電気的に接続されている。
第２の流量計４３は、等張液供給ライン３９内を流れる等張液の流量値を計測し、計測した流量値を制御装置２８にリアルタイムで連続して送信する。
【００２９】
第３の容器４７は、炭酸ガスを充填するための容器である。第３の容器４７は、炭酸ガス供給ライン４８の一端と接続されている。
第３の容器４７は、炭酸ガスを充填できるものであれば特に限定されず、例えば、高圧容器の材料として使用可能なスチール（鋼）や繊維強化プラスチック（ＦＲＰ）を用いることができる。
【００３０】
また、上記炭酸ガスとしては、例えば、圧縮された炭酸ガス、或いは液化された炭酸ガス等を用いることができる。また、第３の容器４７内の圧力は、例えば、１〜１０ＭＰａの範囲内で設定することができる。
【００３１】
炭酸ガス供給ライン４８は、その他端が混合ライン５８の一端と接続されている。炭酸ガス供給ライン４８は、第３の容器４７から導出させた炭酸ガスを混合ライン５８内に導入させるためのラインである。
圧力計５１は、第３の容器４７の近傍に位置する炭酸ガス供給ライン４８に設けられている。圧力計５１は、制御装置２８と電気的に接続されている。
圧力計５１は、炭酸ガス供給ライン４８内の圧力を計測し、計測した圧力値を制御装置２８にリアルタイムで連続して送信する。
【００３２】
第３の流量計５３は、第３の容器４７側に位置する炭酸ガス供給ライン４８に設けられている。第３の流量計５３は、制御装置２８と電気的に接続されている。
第３の流量計５３は、炭酸ガス供給ライン４８内を流れる炭酸ガスの流量値を計測し、計測した流量値を制御装置２８にリアルタイムで連続して送信する。
【００３３】
フィルター５４は、第３の流量計５３の下流側に位置する炭酸ガス供給ライン４８に設けられている。
フィルター５４は、第３の容器４７から導出された炭酸ガスに含まれる不純物を除去する。フィルター５４としては、例えば、ろ過精度が０．２μｍとされた滅菌用メンブレンフィルターを用いることができる。
【００３４】
また、フィルター５４の材料としては、例えば、オートクレーブ滅菌（オートクレーブを用いて、ある温度と圧力の飽和水蒸気を作り、加熱することで微生物殺菌する方法）可能な材料を用いるとよい。このようなフィルター５４の材料としては、例えば、ＰＴＦＥ（ポリテトラフルオロエチレン）を用いることができる。
【００３５】
逆止弁５６は、フィルター５４の下流側に位置する炭酸ガス供給ライン４８に設けられている。逆止弁５６は、混合ライン５８内で形成される炭酸ガス含有等張液が炭酸ガス供給ライン４８を逆流することを防止する。
混合ライン５８は、等張液供給ライン３９を介して供給される等張液と、炭酸ガス供給ライン４８を介して供給される炭酸ガスと、を混合させることで炭酸ガス含有等張液とし、これを気泡化部６１に供給する機能を有する。
【００３６】
気泡化部６１は、炭酸ガス含有等張液に含まれる炭酸ガスの気泡をより微細化した炭酸ガス含有造影剤を生成する。気泡化部６１は、例えば、所定の方向に延在する絞り管、オリフィス、及びスタティックミキサーのうち、少なくとも１つで構成することができる。
【００３７】
気泡化部４８が発生させる炭酸ガスの気泡の大きさは、造影検査可能であれば特に限定されるものではないが、微細化したいわゆるマイクロバブルの状態とすることが好ましい。マイクロバブルとは、例えば１〜５００μｍの微細気泡をいう。このように、マイクロバブルの状態とすることにより、気液二相流の状態となることを抑制可能となるため、微細な血管へ流入しやすくなり、造影診断を精度良く行うことができる。
【００３８】
炭酸ガス含有造影剤供給ライン６２は、その一端が気泡化部６１と接続されており、他端が造影剤供給ライン１４の一端と接続されている。炭酸ガス含有造影剤供給ライン６２は、気泡化部６１で生成された炭酸ガス含有造影剤を造影剤供給ライン１４に供給する。
【００３９】
第４の流量計６４は、炭酸ガス含有造影剤供給ライン６２に設けられている。第４の流量計６４は、制御装置２８と電気的に接続されている。
第４の流量計６４は、炭酸ガス含有造影剤供給ライン６２内を流れる炭酸ガス含有造影剤の流量値を計測し、計測した流量値を制御装置２８にリアルタイムで連続して送信する。
【００４０】
第２の切り替えバルブ６５は、第４の流量計６４の下流側に位置する炭酸ガス含有造影剤供給ライン６２に設けられている。第２の切り替えバルブ６５は、制御装置２８と電気的に接続されており、造影剤供給ライン１４に炭酸ガス含有造影剤を供給する際に開かれ、停止する際には閉じられる。
【００４１】
分岐ライン６８は、第２の流量計４３と逆止弁４１との間に位置する等張液供給ライン３９から分岐し、造影剤供給ライン１４の三方弁１８の一次側に接続され、第２の容器３８から導出された等張液を造影剤供給ライン１４に供給する。
【００４２】
分岐ライン６８に設けられた第１のバルブ６９が開かれると、造影剤供給ライン１４に等張液が供給され、第１のバルブ６９が閉じられると、等張液の供給が停止する。
なお、第１のバルブ６９を開いて造影剤供給ライン１４に等張液を供給する場合には、第１及び第２の切り替えバルブ３５，６５を閉じる。
【００４３】
ところで、ヨード造影剤の投与後において、体内におけるヨード造影剤の流れが悪い場合には、血液に成分が近い生理食塩水を投与したり、造影剤を除去（体内に拡散させ効果を消す）させたりする目的で生理食塩水をシリンジや点滴等で投与するフラッシュ処理を実施することがある。
本発明の装置によれば、炭酸ガス含有造影剤の調製に用いられる第２の容器３８内の等張液を、このフラッシュ処理に流用することができる。すなわち、炭酸ガス含有造影剤供給部１２を構成する等張液供給機構（具体的には、第２の容器３８、等張液供給ライン３９、逆止弁４１、及び第２の流量計４３よりなる構造体）から供給される等張液を、炭酸ガスを混合させることなく分岐ライン６８を介して患者Ａへ投与できるため、医療従事者がフラッシュ用に等張液（生理食塩水）の点滴バッグやシリンジを別途用意しなくともフラッシュ処理を行うことができる。
【００４４】
上述したように、１台の造影剤供給装置１０で、患者Ａの容態に応じて、ヨード造影剤と炭酸ガス含有造影剤の切り替え及び患者Ａへの造影剤の投与を簡便に行うことができる。
【００４５】
造影剤供給ライン１４は、その他端が造影剤供給用注射筒１７の先端部と接続されている。造影剤供給ライン１４に導出された造影剤（具体的には、ヨード造影剤または炭酸ガス含有造影剤）は、造影剤供給用注射筒１７に供給される。なお、上述のフラッシュ処理を第２の容器３８内の等張液で実施する場合、造影剤供給ライン１４には等張液が流れることとなる。
【００４６】
図２は、図１に示す造影剤供給用注射筒の一例を示す斜視図である。図２において、図１に示す構造体と同一構成部分には、同一符号を付す。
【００４７】
図２を参照するに、造影剤供給用注射筒１７は、外筒１７−１と、筒先１７−２と、押し子１７−３と、ガスケット１７−４と、を有する。
外筒１７−１は、筒状とされており、開放端とされていない一端と、開放端とされた他端と、を有する。外筒１７−１の外周面には、目盛り（図示せず）が設けられている。
筒先１７−２は、外筒１７−１とガスケット１７−４とで形成される空間内を充填する造影剤（具体的には、ヨード造影剤または炭酸ガス含有造影剤）を外筒１７−１の外部に導出可能なように、外筒１７−１の一端に設けられている。
【００４８】
押し子１７−３は、外筒１７−２の内径よりも少し小さい直径とされた筒状の部材である。押し子１７−３の一部は、外筒１７−１内に収容されている。押し子１７−３は、外筒１７−１内において、押し子１７−３の延在方向に移動可能な構成とされている。
造影剤供給用注射筒１７内に、造影剤を供給する際、外筒１７−１内に空間が形成されないように（言い換えれば、外筒１７−１とガスケット１７−４の先端面が接触するように）、外筒１７−１内に押し子１７−３を目一杯押し込む。
その後、造影剤の供給に応じて、徐々に外筒１７−１から押し子１７−３を引き出すことで、造影剤供給用注射筒１７内に、造影剤を充填する。
【００４９】
図１及び図２を参照するに、造影剤（ヨード造影剤または炭酸ガス含有造影剤）を患者Ａに投与する際には、外筒１７−１の目盛りを確認しながら、押し子１７−３を筒先１７−２に向かう方向に所定の速度で移動させることで、筒先１７−２、造影剤供給ライン１４の一部、造影剤供給用分岐ライン２２、継手２４、及びカテーテル２５を介して、所定の供給速度（例えば、１〜１０ｍＬ／ｓｅｃ）で造影剤を患者Ａに注入する。
【００５０】
図１を参照するに、三方弁１８は、分岐ライン６８と造影剤供給ライン１４との接続位置と、造影剤供給用分岐ライン２２の分岐位置と、の間に位置する造影剤供給ライン１４に設けられている。
三方弁１８は、パージ用ライン２１の一端と接続されている。三方弁１８は、弁の切り替えを行うことで、造影剤（ヨード造影剤または炭酸ガス含有造影剤）をパージ用ライン２１に流さないで、造影剤供給用注射筒１７に供給するか、或いは、造影剤を造影剤供給用注射筒１７側に流さないで、パージ用ライン２１側に供給する。
【００５１】
パージ用ライン２１は、炭酸ガスが通過するライン内の空気を炭酸ガスで置換したり、ライン内の空気若しくは炭酸ガスをヨード造影剤または炭酸ガス含有造影剤で置換したりするパージ処理を行う際に使用するラインである。
【００５２】
このように、造影剤供給ライン１４に造影剤供給用注射筒１７とパージ用ライン２１が接続された三方弁１８とを有することで、パージ処理によりライン内に存在する空気や残留する造影剤等を造影剤供給装置１０の外部に排出させることができ、例えば望まない造影剤を患者Ａに投与することを防いだり、空気が投与されることによる患者Ａの空気塞栓発症を防いだりすることができる。
【００５３】
造影剤供給用分岐ライン２２は、三方弁１８と造影剤供給用注射筒１７との間に位置する造影剤供給ライン１４から分岐したラインである。造影剤供給用分岐ライン２２は、継手２４を介して、カテーテル２５と接続されている。患者Ａに造影剤を投与する際、造影剤供給用分岐ライン２２は、カテーテル２５を介して、患者Ａと接続される。
【００５４】
継手２４は、造影剤供給用分岐ライン２２の先端に設けられている。継手２４は、造影剤供給用分岐ライン２２の先端とカテーテル２５の一端とを接続するための部材である。
カテーテル２５は、継手２４を介して、造影剤供給用分岐ライン２２と接続されている。患者Ａに造影剤を投与する際、カテーテル２５は、患者Ａと接続される。
【００５５】
第２のバルブ２７は、造影剤供給用分岐ライン２２に設けられている。第２のバルブ２７は、造影剤の供給の制御を行うためのバルブであり、医療従事者が開閉するバルブである。
第２のバルブ２７は、患者Ａに造影剤やフラッシュ処理により等張液（生理食塩水）を投与する場合には開とし、これ以外の場合（例えば、造影剤の切り替えやパージ処理時等）には閉とする。
【００５６】
ところで、カテーテル２５を継手２４に連結した状態で、造影剤供給用注射筒１７に炭酸ガス含有造影剤またはヨード造影剤を充填しようとすると、本来流入するべきでないカテーテル２５に炭酸ガス含有造影剤又はヨード造影剤が流れ込む可能性がある。
そこで、造影剤供給用分岐ライン２２に第２のバルブ２７を設けることで、カテーテル２５への造影剤の流入を抑制できるとともに、造影剤をロスすることなく、造影剤供給用注射筒１７へ充填することができる。
【００５７】
図３は、図１に示す制御装置の斜視図である。図３において、図１に示す構造体と同一構成部分には、同一符号を付す。
【００５８】
図１及び図３を参照するに、制御装置２８は、記憶部（図示せず）と、制御部（図示せず）と、表示画面７２と、スピーカー７３と、ランプ７４と、を有する。
記憶部（図示せず）には、造影剤供給装置１０を運転するためのプログラム、警告を出す閾値である所定の圧力、警告を出す閾値である所定の流量（等張液、炭酸ガス、ヨード造影剤、及び炭酸ガス含有造影剤のそれぞれの流量（第１ないし第４の流量計３４，４３，５３，６４が計測する流量）に対する閾値）等が格納されている。
ここでの「所定の圧力」とは、炭酸ガスの残圧力、或いは単位時間（例えば、1分間）における圧力変動の平均値であり、予め設定された値である。なお、上記「所定の流量」は、適宜設定することができる。
【００５９】
制御部（図示せず）は、造影剤供給装置１０の制御全般を行う。制御部は、表示画面７２、スピーカー７３、及びランプ７４と電気的に接続されている。制御部は、圧力計５１が測定する圧力値が所定の圧力未満になったか否かの判定を行うとともに、等張液、炭酸ガス、ヨード造影剤、及び炭酸ガス含有造影剤のそれぞれの流量値が所定の圧力未満になったか否かの判定を行う。
制御部は、上記判定において、異常を検知した際、異常が発生したという信号（以下、「異常検知信号」という）を表示画面７２、スピーカー７３、及びランプ７４に送信する。
【００６０】
なお、上記圧力値が所定の圧力未満になる場合、上記流量値が所定の圧力未満になる場合には、装置そのものが故障で稼働しない場合、等張液(生理食塩水)、ヨード造影剤や炭酸ガスの造影剤残量切れの場合、装置内の配管の一端部が外れている場合（漏洩の場合）等がある。
【００６１】
表示画面７２は、圧力計５１が計測する圧力値が所定の圧力未満になった場合、及び／または第１ないし第４の流量計３４，４３，５３，６４が計測する流量値の少なくとも１つが所定の流量未満になった場合（つまり、制御部（図示せず）から異常検知信号を受信した際）に、異常が発生したことを表示する。
このとき、図３に示すように、単に、流量値や圧力値をデジタル表示させるだけでもよいし、「異常」である旨の表示を表示画面７２に表示させてもよい。
このように、流量値及び圧力値の異常を表示する表示画面７２を設けることで、造影剤供給装置１０の使用者に装置の状態を目視確認させることができる。
【００６２】
スピーカー７３は、圧力計５１が計測する圧力値が所定の圧力未満になった場合、及び／または第１ないし第４の流量計３４，４３，５３，６４が計測する流量値の少なくとも１つが所定の流量未満になった場合（つまり、制御部（図示せず）から異常検知信号を受信した際）に、警告音を出力する。警告音としては、例えば、アラーム音でもよいし、或いは、具体的に何に異常があったかを知らせるような音声メッセージであってもよい。
このように、流量値及び圧力値の異常を警告する警告音を出力するスピーカー７３を設けることで、造影剤供給装置１０の使用者は、警告音から何に異常があったかを認識することができる。
【００６３】
ランプ７４は、炭酸ガス圧力異常ランプ７４−１と、炭酸ガス流量異常ランプ７４−２と、等張液流量異常ランプ７４−３と、ヨード造影剤流量異常ランプ７４−４と、を有する。
炭酸ガス圧力異常ランプ７４−１は、制御部（図示せず）から炭酸ガスの圧力の異常検知信号が送信された際、点灯する。炭酸ガス流量異常ランプ７４−２は、制御部（図示せず）から炭酸ガスの流量の異常検知信号が送信された際、点灯する。
【００６４】
等張液流量異常ランプ７４−３は、制御部（図示せず）から等張液の流量の異常検知信号が送信された際、点灯する。ヨード造影剤流量異常ランプ７４−４は、制御部（図示せず）からヨード造影剤の流量の異常検知信号が送信された際、点灯する。
このように、炭酸ガス圧力異常ランプ７４−１、炭酸ガス流量異常ランプ７４−２、等張液流量異常ランプ７４−３、及びヨード造影剤流量異常ランプ７４−４を設けることで、使用者は、何に異常が発生したかを容易に認識することができる。
【００６５】
酸素供給部２９は、酸素供給源８２から患者Ａに医療用酸素を供給するものであり、例えば、酸素供給源８２が人工呼吸器の場合、酸素供給ライン８３に、フィルター８４と、加湿器８６と、ウォータートラップ８７と、マスク８９と、がこの順に設けられている。
【００６６】
酸素供給源８２は、医療用酸素を供給できる公知の手段であれば任意であり、例えば、人工呼吸器の他、酸素ボンベ、酸素供給用院内配管、酸素濃縮器、液体酸素容器、ＣＰＡＰ（持続陽圧呼吸療法）装置等を用いることができる。酸素の投与は、造影剤の投与の１５〜２０分前に開始するとよい。酸素の流量は、例えば、１．５Ｌ／分〜４．０Ｌ／分の範囲内が好ましい。また、吸気酸素濃度は、例えば、２５〜２７％の範囲内が望ましい。
【００６７】
ヨード造影剤供給部１１、炭酸ガス含有造影剤供給部１２、及び制御装置２８は、筐体３０に収容されていてもよい。筐体３０の構成は、任意であるが、例えば、ヨード造影剤供給部１１、炭酸ガス含有造影剤供給部１２、造影剤供給ライン１４の一部及び制御装置２８を収容する収容部と、収容部に対して開閉可能な蓋部と、造影剤供給ライン１４を筐体３０の外部に導出させるための第１の貫通穴で構成することができる。
【００６８】
このように、ヨード造影剤供給部１１、炭酸ガス含有造影剤供給部１２、及び制御装置２８を筐体３０内に納めれば造影剤供給装置１０を容易に携帯することができる。
【００６９】
筐体３０の材料としては、例えば、耐食性の高い材料が好ましい。具体的には、筐体３０の材料としては、例えば、ステンレス鋼（例えば、オーステナイト系ステンレス鋼であるＳＵＳ３１６ＬやＳＵＳ３０４Ｌ等）を用いることができる。
【００７０】
本実施の形態の造影剤供給装置１０によれば、ヨード造影剤供給ライン３２によりヨード造影剤を供給するヨード造影剤供給部１１と、等張液を供給する等張液供給ライン３９、炭酸ガスを供給する炭酸ガス供給ライン４８、等張液と炭酸ガスとを混合する混合ライン５８、等張液に混合された炭酸ガスを微細気泡化する気泡化部６１、及び前記気泡化部で生成した炭酸ガス含有造影剤の供給経路となる炭酸ガス含有造影剤供給ライン６２を含む炭酸ガス含有造影剤供給部１２と、ヨード造影剤供給ライン３２と炭酸ガス含有造影剤とが合流して患者Ａへのヨード造影剤又は炭酸ガス含有造影剤の供給経路となる造影剤供給ライン１４とを含み、ヨード造影剤供給ライン３２及び炭酸ガス含有造影剤供給ライン６２のそれぞれに、ヨード造影剤又は炭酸ガス含有造影剤の一方のみを造影剤供給ライン１４へ供給するための第１及び第２の切り替えバルブ３５，６５が設けられているので、患者Ａの状態に応じて造影剤の切り替え及び投与を簡便に行うことができる。これにより、医療従事者の作業負担を軽減することができる。
【００７１】
なお、本実施の形態では、制御装置２８が表示画面７２、スピーカー７３、及びランプ７４を有する場合を例に挙げて説明したが、制御装置２８は、表示画面７２、スピーカー７３、及びランプ７４のうち、少なくとも１つを有していればよい。
【００７２】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【産業上の利用可能性】
【００７３】
本発明は、患者の容態に応じて異なる種類の造影剤を投与することの可能な造影剤供給装置に適用可能である。
【符号の説明】
【００７４】
１０…造影剤供給装置、１１…ヨード造影剤供給部、１２…炭酸ガス含有造影剤供給部、１４…造影剤供給ライン、１７…造影剤供給用注射筒、１７−１…外筒、１７−２…筒先、１７−３…押し子、１７−４…ガスケット、１８…三方弁、２１…パージ用ライン、２２…造影剤供給用分岐ライン、２４…継手、２５…カテーテル、２７…第２のバルブ、２８…制御装置、２９…酸素供給部、３０…筐体、３１…第１の容器、３２…ヨード造影剤供給ライン、３４…第１の流量計、３５…第１の切り替えバルブ、３８…第２の容器、３９…等張液供給ライン、４１，５６…逆止弁、４３…第２の流量計、４７…第３の容器、４８…炭酸ガス供給ライン、５１…圧力計、５３…第３の流量計、５４…フィルター、５８…混合ライン、６１…気泡化部、６２…炭酸ガス含有造影剤供給ライン、６４…第４の流量計、６５…第２の切り替えバルブ、６８…分岐ライン、６９…第１のバルブ、７２…表示画面、７３…スピーカー、７４…ランプ、７４−１…炭酸ガス圧力異常ランプ、７４−２…炭酸ガス流量異常ランプ、７４−３…等張液流量異常ランプ、７４−４…ヨード造影剤流量異常ランプ、８２…酸素供給源、８３…酸素供給ライン、８４…フィルター、８６…加湿器、８７…ウォータートラップ、８９…マスク
【図１】
0006516584.tif 000002
【図２】
0006516584.tif 000003
【図３】
0006516584.tif 000004